(57)【要約】【課題】入院患者に対する日時や曜日の情報を容易に提供できる設備を提供する。【解決手段】屋内有線放送設備において、日時と曜日の情報を受信装置へと送信する時刻情報送信装置を設け、該送信装置から送信される日時と曜日の情報を受信して、この情報を表示する屋内有線放送受信装置を設け、以上の時刻情報送信装置と屋内有線放送受信装置との組み合わせよりなることを特徴とする。【選択図】図１
2018198415.tif 000002
【特許請求の範囲】
【請求項１】
屋内有線放送設備において、日時と曜日の情報を受信装置へと送信する時刻情報送信装置を設け、該送信装置から送信される日時と曜日の情報を受信して、この情報を表示する屋内有線放送受信装置を設け、以上の時刻情報送信装置と屋内有線放送受信装置との組み合わせよりなることを特徴とする時刻情報有線伝送装置。
【請求項２】
送信装置を、電波受信のための電波時計受信機と、この電波時計受信機を制御するためのマイクロコントローラーと、屋内有線放送設備で伝送可能なキャリア周波数を発生させるキャリア信号発振器と、このキャリア信号をデジタル信号に変調する振幅変調器と、この変調信号のレベルを調整するためのレベル調整器と、変調信号に含まれる不要な信号成分を減衰させるための低域濾波器とから構成してなる請求項１記載の時刻情報有線伝送装置。
【請求項３】
受信装置を、有線放送用伝送線路からの信号を二分するための分配器と、分配された一つの信号からＦＭ放送帯域信号を選択するための帯域濾波器と、この信号を復調して音声出力とするための有線ＦＭ放送受信機と、日時や曜日情報を表示するための表示器と、分配された他方の信号から時刻情報変調波信号のみを選択して通過させるための帯域濾波器と、この信号を復調するための振幅復調器と、復調後の信号をもとの時刻情報デジタル信号に復元するための信号判別器とから構成してなる請求項１または２記載の時刻情報有線伝送装置。
【請求項４】
請求項２で用いた構成におけるキャリア信号発振器と振幅変調器に代えて周波数変調器を用いた位相変調方式としてなる請求項２記載の時刻情報有線伝送装置。
【請求項５】
請求項３で用いた振幅変調器に代えてＦＭ復調器を用いてなる請求項３記載の時刻情報有線伝送装置。
【請求項６】
日時と曜日情報を屋内有線放送設備で伝送する方法として、日本標準電波受信もしくはＧＰＳ電場受信機で取得した日時や曜日情報を、屋内有線放送設備で伝送可能な信号に変換して伝送するものとした請求項１から５のいずれかの項に記載の時刻情報有線伝送装置。
【請求項７】
屋内有線放送受信機は、屋内有線放送線路に重畳される複数のＦＭ変調放送波と、追加して重畳された日時や曜日情報信号を１台の受信機で復調して放送波を音声出力するとともに、日時や曜日情報を表示器に表示してなる請求項１から６のいずれかの項に記載の時刻情報有線伝送装置。
【請求項８】
日本標準電波もしくはＧＰＳ電波が何らかの原因により受信不能の場合においても、送信装置に内蔵した時計にて、日時と曜日情報を継続して送信可能としてなる請求項１から７のいずれかの項に記載の時刻情報有線伝送装置。
【発明の詳細な説明】
【技術分野】
【０００１】  この発明は、送信部にて受信した日時や曜日の情報信号を、屋内有線放送設備にて伝送可能な無線周波数に信号変換して伝送し、これを受信部にて日時や曜日の情報信号を受信して復調し、受信機に日時や曜日情報を表示する装置に関する。
【背景技術】
【０００２】  従来方式はいずれも表示部に放送周波数、局名、音量等のみが表示され、日時や曜日の表示機能を有するものは見当たらない。
【発明の概要】
【発明が解決しようとする課題】
【０００３】  病院への入院患者はベッド上に寝起きすることとなる。通常、ベッド脇にはいわゆる床頭台が設置されている。この床頭台にはいくつかの物品収納のための引き出し等が設けられ、また、テレビも設置されていて、患者は有料にてテレビ番組を視聴することができる。
入院患者は外界とは異なる環境での生活となるため、日時や曜日の確認が必要であるが、一般的に病室内には時計はなく、患者自らが用意しなければならない。
例えば、ケータイ電話の時刻表示機能を利用するのも一手段であるが、その都度ベッド上のケータイを取り上げて視認する煩わしさがある。置き時計を持ち込む方法もあるが、入院時にそこまで気がつかないことが多い。
本発明は以上に鑑み、病室に備えられたラジオの表示部に、日時や曜日の表示機能を設けることにて、容易にその日時や曜日を視認することのできる、新規かつ有用なる手段を提供することを目的として発明されたものである。
【課題を解決するための手段】
【０００４】  課題を解決する手段として本発明は以下の構成とした。
すなわち、屋内有線放送設備において、日時と曜日の情報を受信装置へと送信する時刻情報送信装置を設け、該送信装置から送信される日時と曜日の情報を受信して、この情報を表示する屋内有線放送受信装置を設け、以上の時刻情報送信装置と屋内有線放送受信装置とを組み合わせる。本発明は以上の構成よりなる時刻情報有線伝送装置である。
【発明の効果】
【０００５】  本発明によれば、屋内有線放送設備として設置された複数の受信機において、何らの設定操作を必要とせずに、常に正確な日時や曜日を表示することができ、時計や携帯端末等を用いずとも正確な日時や曜日を、ベッド上の患者が容易に視認することのできる利点を得ることができる。また、従来例と異なって有線による信号伝達のために、設備コスト的にも有利である。
【図面の簡単な説明】
【０００６】
【図１】本発明の送信部構成説明図
【図２】本発明の受信部構成説明図
【図３】本発明の他例における送信部構成説明図
【図４】本発明の他例における受信部構成説明図
【図５】従来例の送信部構成説明図
【図６】従来例の受信部構成説明図
【発明を実施するための最良の形態】
【０００７】  以下、本発明の実施形態について説明する。
図１は本発明の実施形態における送信部を示すものである。本例において、日時や曜日の情報を伝送する方法として、振幅変調方式を用いている。１は屋外に設置されるアンテナで、日本標準電波もしくはＧＰＳ電波を受信するためのものである。
２は電波時計受信機もしくはＧＰＳ受信機で、日時や曜日の情報を取得する。３はこの電波時計受信機もしくはＧＰＳ受信機を制御して、日時や曜日の情報を出力するための制御用マイクロコントローラーである。４は電波時計受信機もしくはＧＰＳ受信機で取得した日時や曜日の情報を表示させる表示器である。【０００８】  ５は屋内有線放送設備で伝送可能なキャリア周波数を発生させるキャリア信号発振器、６は表示器で出力される日時・曜日のデジタル信号により、発振機によるキャリア信号を変調する振幅変調器で、キャリア信号をデジタル信号で変調した振幅変調信号に変換する。
７は上記変調信号を適正なレベルに調整するためのレベル調整器である。８はレベル調整器にて調整された変調信号を屋内有線放送設備で伝送するために必要なレベルに増幅する増幅器で、これにて増幅された変調信号は、低域濾波器９にて不要な信号成分を減衰させたのち出力する。
以上が送信部の構成である。【０００９】  図２は受信部を示すものである。屋内有線放送用伝送線路から分岐された信号（変調信号出力）は、２０の分配器にて二分配され、ＦＭ放送帯域信号は２１の帯域濾波器で選択し、２２の有線ＦＭ放送受信機で復調して音声を出し、２３の表示器に放送局名、周波数等の放送情報を表示する。分配されたもう一つの信号は、帯域濾波器２４にて時刻情報変調波信号のみを選択して通過させ、屋内有線放送用伝送線路にて重畳された他の信号を減衰させる。上記帯域濾波器にて選択された時刻情報変調波信号は２５の増幅器にて必要なレベルまで増幅し、２６の振幅復調器で復調後、２７の信号判別器にてもとの時刻情報デジタル信号に復元する。上記信号は信号処理部２８にて処理され、２３の表示器に日時と曜日が表示される。【００１０】  図３および図４は、本発明の他の実施形態を示すものである。
図３は送信部、図４は受信部を示している。図３において、１から４は前記実施形態と同様である。３０は、屋内有線放送用伝送システムで伝送できるキャリア信号を表示器からの日時と曜日のデジタル情報信号で変調する周波数変調器である。
３１から３３は前例同様で、３１はレベル調整器、３２は増幅器、３３は低域濾波器である。なお、３１に位相変調器を用いて、位相変調方式としても良い。【００１１】  図４は本発明の他の実施形態における受信部で、２０から２５までの動作は前例同様である。４０はＦＭ復調器で、周波数変調波を復調する。４１から４２は前例同様で、４１は信号判別器、４２は信号処理部である。なお、送信波が位相変調波の場合は、ＦＭ復調器に位相復調器を使用する。
初例は振幅変調方式を用いたが、本例は周波数変調方式もしくは位相変調方式を用いた点が異なるが、その効果は初例同様である。【００１２】  図５は従来技術による時刻情報送信部である。
５０は日本標準電波を受信するアンテナで、５１の帯域濾波器で必要な４０ＫＨｚもしくは６０ＫＨｚの日本標準電波信号を選択し、５２の増幅器で増幅し、５３のＦＭ変調器で、屋内有線放送設備で伝送できるキャリア周波数を周波数変調する。
この変調波は５４のレベル調整器にて必要なレベルに調整し、５５の増幅器で増幅して５６の低域濾波器により、不要な信号成分を減衰して出力する。【００１３】  図６は従来技術による受信部で、屋内有線放送設備から分岐した信号を、６０の低域濾波器にて日本標準電波信号で変調された変調波のみを選択し、６１の増幅器で増幅し、６２のＦＭ検波器で４０ＫＨｚもしくは６０ＫＨｚの日本標準電波信号に復調する。
復調した日本標準電波信号は、６３の増幅器で増幅して６４の再放射アンテナで再放射する。再放射された４０ＫＨｚもしくは６０ＫＨｚの日本標準電波信号は、屋内に設置した電波時計で受信し、時刻を表示する。【００１４】  以上説明したように、従来方式では電波による再放射を必要とし、各々に電波受信部が必要となるが、本発明では有線方式のために、確実な情報伝達が可能であり、かつ、コスト的にも有利なものとなっている。なお、送信装置に時計を内蔵することにて、電波受信不能の場合であっても日時と曜日の情報を継続的に得ることができる。
【符号の説明】
【００１５】  １  アンテナ
２  電波時計受信機またはＧＰＳ受信機
３  マイクロコントローラー
４  表示器
５  キャリア信号発振器
６  振幅変調器
７  レベル調整器
８  増幅器
９  低域濾波器
２０  分配器
２１  帯域濾波器
２２  有線ＦＭ放送受信機
２３  表示器
２４  帯域濾波器
２５  増幅器
２６  振幅復調器
２７  信号判別器
２８  信号処理部
３０  周波数変調器
３１  レベル調整器
３２  増幅器
３３  低域濾波器
４０  ＦＭ復調器
４１  信号判別器
４２  信号処理部
５０  アンテナ
５１  帯域濾波器
５２  増幅器
５３  ＦＭ変調器
５４  レベル調整器
５５  増幅器
５６  低域濾波器
６０  帯域濾波器
６１  増幅器
６２  ＦＭ検波器
６３  増幅器
６４  再放射アンテナ
６５  電波時計
６６  電波時計
【図１】
2018198415.tif 000003
【図２】
2018198415.tif 000004
【図３】
2018198415.tif 000005
【図４】
2018198415.tif 000006
【図５】
2018198415.tif 000007
【図６】
2018198415.tif 000008
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
屋内有線放送設備において、日時と曜日の情報を受信装置へと送信する時刻情報送信装置を設け、該送信装置から送信される日時と曜日の情報を受信して、この情報を表示する屋内有線放送受信装置を設け、以上の時刻情報送信装置と屋内有線放送受信装置との組み合わせよりなることを特徴とする時刻情報有線伝送装置。
【請求項２】
送信装置を、電波受信のための電波時計受信機と、この電波時計受信機を制御するためのマイクロコントローラーと、屋内有線放送設備で伝送可能なキャリア周波数を発生させるキャリア信号発振器と、このキャリア信号をデジタル信号に変調する振幅変調器と、この変調信号のレベルを調整するためのレベル調整器と、変調信号に含まれる不要な信号成分を減衰させるための低域濾波器とから構成してなる請求項１記載の時刻情報有線伝送装置。
【請求項３】
受信装置を、有線放送用伝送線路からの信号を二分するための分配器と、分配された一つの信号からＦＭ放送帯域信号を選択するための帯域濾波器と、この信号を復調して音声出力とするための有線ＦＭ放送受信機と、日時や曜日情報を表示するための表示器と、分配された他方の信号から時刻情報変調波信号のみを選択して通過させるための帯域濾波器と、この信号を復調するための振幅復調器と、復調後の信号をもとの時刻情報デジタル信号に復元するための信号判別器とから構成してなる請求項１または２記載の時刻情報有線伝送装置。
【請求項４】
請求項２で用いた構成におけるキャリア信号発振器と振幅変調器に代えて周波数変調器を用いた位相変調方式としてなる請求項２記載の時刻情報有線伝送装置。
【請求項５】
請求項３で用いた振幅変調器に代えてＦＭ復調器を用いてなる請求項３記載の時刻情報有線伝送装置。
【請求項６】
日時と曜日情報を屋内有線放送設備で伝送する方法として、日本標準電波受信もしくはＧＰＳ電波受信器で取得した日時や曜日情報を、屋内有線放送設備で伝送可能な信号に変換して伝送するものとした請求項１から５のいずれかの項に記載の時刻情報有線伝送装置。
【請求項７】
屋内有線放送受信機は、屋内有線放送線路に重畳される複数のＦＭ変調放送波と、追加して重畳された日時や曜日情報信号を１台の受信機で復調して放送波を音声出力するとともに、日時や曜日情報を表示器に表示してなる請求項１から６のいずれかの項に記載の時刻情報有線伝送装置。